(57)【特許請求の範囲】
【請求項１】
支持部と、
レンズを有しこのレンズの光軸方向に向かうフォーカス方向とこのフォーカス方向と交差するトラッキング方向とに移動可能であり、弾性部材を介して前記支持部に連結される可動部と、
前記可動部のフォーカス方向への移動を規制するフォーカス方向規制部およびトラッキング方向への移動を規制するトラッキング方向規制部を合成樹脂で一体形成したストッパ部材と、
を具備し、
前記弾性部材は、複数あり、それぞれ線状に形成され、
前記可動部は、互いにフォーカス方向に離隔し、それぞれ前記弾性部材の先端部を固定する複数の弾性部材固定部を有し、
前記ストッパ部材のフォーカス方向規制部は、前記弾性部材固定部の互いに対向する面に対向面が当接可能な突起部であり、
前記ストッパ部材のトラッキング方向規制部は、前記弾性部材固定部のトラッキング方向に所定の距離だけ離れた位置に配置され、前記弾性部材固定部の先端が当接可能な壁部である
ことを特徴とした光学ピックアップ装置。
【請求項２】
請求項１に記載の光学ピックアップ装置において、
前記突起部は、前記壁部から突起して形成されている
ことを特徴とした光学ピックアップ装置。
【請求項３】
請求項１または請求項２に記載の光学ピックアップ装置において、
前記突起部および前記壁部は、前記可動部の両側面に一対設けられている
ことを特徴とした光学ピックアップ装置。
【請求項４】
請求項３に記載の光学ピックアップ装置において、
前記一対の突起部および壁部を連結する連結部が設けられ、
これらの一対の突起部および壁部と、連結部とは一体的に形成されている
ことを特徴とした光学ピックアップ装置。
【請求項５】
請求項１ないし請求項４のいずれかに記載の光学ピックアップ装置において、
前記支持部が設置されるベース部材を有し、
前記ベース部材には、前記ストッパ部材を位置決めする位置決め溝が形成され、
前記ストッパ部材は、前記位置決め溝と係合する位置決め爪を有する
ことを特徴とした光学ピックアップ装置。
【請求項６】
請求項５に記載の光学ピックアップ装置において、
前記位置決め爪は、前記ストッパ部材の側面に形成され、前記位置決め溝の方向に付勢されている
ことを特徴とした光学ピックアップ装置。
【請求項７】
請求項５または請求項６に記載の光学ピックアップ装置において、
前記位置決め溝は、フォーカス方向およびトラッキング方向に対して略垂直となる長手方向を有し、
前記ストッパ部材は、前記位置決め溝の長手方向に沿ってスライド移動させて嵌めこんで係合する
ことを特徴とした光学ピックアップ装置。
【請求項８】
請求項７に記載の光学ピックアップ装置において、
前記位置決め爪は、前記位置決め溝の長手方向に係合する位置に複数形成されている
ことを特徴とした光学ピックアップ装置。
【請求項９】
請求項４に記載の光学ピックアップ装置において、
前記連結部には、可動部に向かって突起した突起片を有し、この突起片は、前記ベース部材に予め形成される凹部に係合される
ことを特徴とした光学ピックアップ装置。
【発明の詳細な説明】
【技術分野】
【０００１】
本発明は、光記録媒体の情報の読み取り若しくは書き込みを行うための光学ピックアップ装置に関する。
【背景技術】
【０００２】
従来、ＣＤ（Compact Disc）やＤＶＤ（Digital Versatile Disc）などの光記録媒体に記録されている情報を記録したり、または記録されている情報を再生したりする光学ピックアップ装置が知られている（例えば特許文献１）。
特許文献１の光学ピックアップ装置は、対物レンズを内蔵したレンズホルダを備えた可動部を４本の線状弾性部材でアクチュエータベースに移動可能に連結したアクチュエータ部と、可動部の両側面に所定の空間を設けて対向配置される一対の磁石を固定した一対のヨークが設けられるとともに、可動部のトラッキング方向の側面を囲むように対向配置される立設部を形成したサスペンションベースと、を備えて構成されている。
【０００３】
また、可動部のレンズホルダの両側面には、それぞれフォーカス方向に所定の距離だけ離隔した一対の固定アームが設けられている。さらに、立設部には挿入孔が設けられ、ストッパ部材が取り付けられている。ストッパ部材は、金属製の線状部材を素材とし、略コ字状に折り曲げられて形成されている。このストッパ部材のコ状の先端部では、制止部が形成されており、可動部のレンズホルダの側面のフォーカス方向に離隔した位置に形成される固定アームの略中央に配置される。
【０００４】
このような構成では、可動部がフォーカス方向に移動した場合、可動部は、レンズホルダの側面に形成される固定アームが制止部に当接して、フォーカス方向への移動範囲を規制される。また、可動部がトラッキング方向に移動した場合、可動部は、固定アームが立設部に当接することで、トラッキング方向への移動が規制される。
【０００５】
【特許文献１】
特開２００１−２２９５５６号公報（第９頁、図１、図２）
【発明の開示】
【発明が解決しようとする課題】
［０００６］
しかしながら、特許文献１では、可動部のフォーカス方向への移動をストッパ部材で規制し、可動部のトラッキング方向への移動を立設部で規制している。このため、可動部をサスペンションベースに設置する際に、この可動部の可動範囲の精度を維持するためには、これらの可動部の可動範囲を決定する各構成部材、つまり、ストッパ部材や立設部、立設部に設けられる挿通孔、立設部が設けられるサスペンションベース、および可動部などに高寸法精度が要求され、これらの各構成部材の設置作業が煩雑となる。
［０００７］
また、ストッパ部材は金属で形成されているため、強い衝撃によって永久変形してばね特性が変化してしまう可能性がある。さらに、サスペンションベースや可動部に設けられる電気回路との電気的ショートを避けるために絶縁処理を施す必要があり、作業が煩雑になり、生産コストも高くなるという課題がある。
［０００８］
本発明では、可動部の設置作業が容易に行えるとともに、耐衝撃性に優れた光学ピックアップ装置を提供することを目的とする。
【課題を解決するための手段】
【０００９】
本発明の光学ピックアップ装置は、支持部と、レンズを有しこのレンズの光軸方向に向かうフォーカス方向とこのフォーカス方向と交差するトラッキング方向とに移動可能であり、弾性部材を介して前記支持部に連結される可動部と、前記可動部のフォーカス方向への移動を規制するフォーカス方向規制部およびトラッキング方向への移動を規制するトラッキング方向規制部を合成樹脂で一体形成したストッパ部材と、を具備し、前記弾性部材は、複数あり、それぞれ線状に形成され、前記可動部は、互いにフォーカス方向に離隔し、それぞれ前記弾性部材の先端部を固定する複数の弾性部材固定部を有し、前記ストッパ部材のフォーカス方向規制部は、前記弾性部材固定部の互いに対向する面に対向面が当接可能な突起部であり、前記ストッパ部材のトラッキング方向規制部は、前記弾性部材固定部のトラッキング方向に所定の距離だけ離れた位置に配置され、前記弾性部材固定部の先端が当接可能な壁部であることを特徴とする。
【図面の簡単な説明】
［００１０］
［図１］本実施の形態の光学ピックアップ装置の全体斜視図である。
［図２］ピックアップアクチュエータの正面図である。
［図３］本実施の形態のサスペンションの変形例を示すピックアップアクチュエータの斜視図である。
［図４］ストッパ部材の正面図である。
［図５］ストッパ部材の断面図である。
【図６】ストッパ部材の側面図である。
【図７】ストッパ部材の変形例を示す側面図である。
【符号の説明】
【００１１】
１…光学ピックアップ装置
１０…ベース部材としてのアクチュエータベース
２１…支持部としてのサスペンションベース
２２…可動部
２３…弾性部材固定部としての固定アーム
２５…弾性部材としてのサスペンション
３０…ストッパ部材
３１…連結部としてのストッパ基部
３４…トラッキング方向規制部としての壁部
３５…フォーカス方向規制部としての突起部
３６…位置決め爪としての第１の係合爪
３７…位置決め爪としての第２の係合爪
３８…突起片としての係止片
１３１…位置決め溝
１４１…凹部
２４１…レンズとしての対物レンズ
Ｆ…フォーカス方向
Ｔ…トラッキング方向
【発明を実施するための最良の形態】
【００１２】
以下、本発明の実施形態を図面に基づいて説明する。図１ないし図６は本実施形態の光学ピックアップ装置１が示されている。
【００１３】
〔光学ピックアップ装置の構成〕
図１において、光学ピックアップ装置１は、ベース部材としてのアクチュエータベース１０と、ピックアップアクチュエータ２０と、ストッパ部材３０と、を備えている。光学ピックアップ装置１は、例えばＣＤやＤＶＤなどの情報記録面を有する円盤状の光学式記録媒体に情報を記録、または記録された情報を再生する記録媒体駆動装置に組み込まれている。記録媒体駆動装置としては、例えばパーソナルコンピュータなどの端末機器の内部または外部に接続されるＣＤドライブやＤＶＤドライブや、テレビなどやオーディオなどに接続されるＣＤプレイヤやＤＶＤプレイヤ、また、単一で機能するポートブルＣＤプレイヤなどが挙げられる。光学ピックアップ装置１は、このような記録媒体駆動装置に格納された光学式記録媒体の情報記録面に対向する位置に、この情報記録面の径方向（トラッキング方向Ｔ）に移動可能に取付けられている。
【００１４】
〔アクチュエータベースの構成〕
アクチュエータベース１０は、図示しないピックアップ支持体に取付けられている。このピックアップ支持体は、図示しない駆動機構に接続され、駆動機構の制御により光学ピックアップ装置を光学式記録媒体の面に沿ってトラッキング方向Ｔへ移動させる。また、ピックアップ支持体には図示しないレーザ光源が取り付けられていて、レーザ光源から出射されたレーザ光は、光学系により構成される光路を通って後述する対物レンズ２４１の下方に至る。対物レンズ２４１の下方には立ち上げミラー（図示せず）が配置されており、レーザ光は立ち上げミラーにより上方へ進路変更されて対物レンズ２４１を下から上へと通過する。対物レンズ２４１の上方には図示しない光学式記録媒体が配置され、対物レンズ２４１はレーザ光を光学式記録媒体の情報記録面に集光する。
【００１５】
アクチュエータベース１０は、アルミなどの比較的軽量な金属を素材としている。このアクチュエータベース１０は、略平板矩形状に形成される基部１１と、基部１１のトラッキング方向に直交する方向に立ち上がる一対の立上部１３と、基部１１のトラッキング方向に略平行に立ち上がる一対のヨーク１４と、ヨーク１４に固定される一対の磁石１５と、を備えている。
【００１６】
基部１１は、取付孔１２を有し、この取付孔１２にねじ止めなどをすることでピックアップ支持体に取付けられる。この基部１１には、ピックアップアクチュエータ２０が固定される。ピックアップアクチュエータ２０の取付けは、後述する可動部２２が一対の立上部１３および一対の磁石１５の間で、これらの立上部１３および磁石１５と所定の距離寸法を隔てて配置されるように、後述する支持部としてのサスペンションベース２１をアクチュエータベース１０の基部１１に固定する。
【００１７】
アクチュエータベース１０の基部１１には、サスペンションベース２１に設けられたベース固定孔２１１に対応した位置に孔部が設けられていて、この孔部とベース固定孔２１１をねじ止めなどすることでサスペンションベース２１が基部１１に固定される。なお、サスペンションベース２１の取付けは、ねじ止めに限定されず、ピン部材により係止させてもよく、接着剤により接着固定するものであってもよい。さらに、基部１１には、サスペンションベース２１に形成されているＭ字溝２１２の形状に合わせて突出片１６が形成されている。この突出片１６は、サスペンションベース２１のＭ字溝２１２を係合させることで、サスペンションベース２１の固定時に位置決めとして機能する。
【００１８】
立上部１３には、位置決め溝１３１が形成され、この位置決め溝１３１には、後述するストッパ部材３０が位置決め固定されている。また、ヨーク１４には、上面部の一部に凹部１４１が形成されている。この凹部１４１は、磁石１５を固定するための接着剤を導入するために形成されている。磁石１５は、一対のヨーク１４の互いに対向する面に固定されて、磁界を形成している。
【００１９】
〔ピックアップアクチュエータの構成〕
図１、図２において、ピックアップアクチュエータ２０は、アクチュエータベース１０の基部１１に固定される支持部としてのサスペンションベース２１と、サスペンションベース２１に対して移動可能に取付けられる可動部２２と、サスペンションベース２１および可動部２２を連結する弾性部材としてのサスペンション２５と、を備えて構成されている。これらのサスペンションベース２１および可動部２２は、合成樹脂によって形成されている。
【００２０】
サスペンション２５は、ばね材料として強い曲げ応力に耐える高強度を有し、繰り返し作用に対する疲労耐性に優れた素材、例えばベリリウム銅などの金属によって形成される。そして、これらのサスペンションベース２１および可動部２２は、サスペンション２５をインサートした状態でインサート成形される。なお、これらのサスペンションベース２１や可動部２２には、複数の肉抜き部２１４が、合成樹脂の肉厚が略均一になるように形成されていて、インサート成形によりヒケが生じて表面に凹みができるのを防止している。
【００２１】
サスペンションベース２１には、ベース固定孔２１１と、Ｍ字溝２１２と、サスペンション挿通溝２１３と、が形成されている。ベース固定孔２１１は、サスペンションベース２１をトラッキング方向に貫通する孔である。このベース固定孔２１１は、前述したように、アクチュエータベース１０の基部１１にサスペンションベース２１をねじ止めやピン止めなどにより固定するためのねじやピンの挿通孔となる。Ｍ字溝２１２はサスペンションベース２１のアクチュエータベース１０と対向する面に形成されている。そして、Ｍ字溝２１２は、前述したように、アクチュエータベース１０の基部１１に形成される突出片１６に係止されて、アクチュエータベース１０とサスペンションベース２１との位置決めに用いられる。
【００２２】
サスペンション挿通溝２１３は、サスペンションベース２１の可動部２２と対向する面の４隅にサスペンション２５の長手方向と略同一方向に略凹状に形成されている。このサスペンション挿通溝２１３は、サスペンション２５が通される溝である。サスペンション挿通溝２１３には、サスペンション２５との間にダンピング剤が充填され、所定周波数までのサスペンション２５の振動を防止している。このダンピング剤は、ゲル状の制振用化学物質であり、サスペンション２５とサスペンション挿通溝２１３の間に充填されることでサスペンション２５の振動を緩衝しているとともにサスペンション２５の固定力を強化している。
【００２３】
可動部２２には、対物レンズ２４１（図１参照）を保持するレンズホルダ２４と、可動部２２の両側面から２本づつ計４本突出する弾性部材固定部としての固定アーム２３と、コイル基板２６とを備えている。レンズホルダ２４は、可動部の略中心にフォーカス方向に貫通して中空状に形成されている。このレンズホルダ２４の上面側に対物レンズ２４１が固定されている。このレンズホルダ２４は、前述したように、図示しないピックアップ支持体のレーザ光源から出光される所定の光度のレーザ光を通し、対物レンズ２４１は、このレーザ光を光学式記録媒体の情報記録面に集光する。
【００２４】
固定アーム２３は、可動部２２のサスペンションベース２１と対向する側とは反対側の４隅の角部にそれぞれトラッキング方向Ｔに突出して形成されている。また、可動部２２の一側面から突出される一対の固定アーム２３は、フォーカス方向に所定の間隔だけ離隔して形成されている。この固定アーム２３には、サスペンション２５が固定され、このサスペンション２５によって、可動部２２は、サスペンションベース２１に揺動自在に接続されている。
【００２５】
そして、この可動部２２には、一対のコイル基板２６が可動部２２のサスペンションベース２１に対向する面とその反対面とに固定されている。そして、可動部２２は、ピックアップアクチュエータ２０をアクチュエータベース１０に取付けたとき、前述したように一対の立上部１３と一対のヨーク１４に囲まれて配置される。この時、コイル基板２６はヨーク１４に固定される磁石１５と対向して配置される。従って、可動部２２は、磁石１５の磁界内に配置されることになり、コイル基板２６に形成された図示しないフォーカスコイル及び図示しないトラッキングコイルに所定のサーボ帯域（例えば、０〜５ＫHz）の周波数となる駆動電流を通電すると、コイル内の電流と磁界とにより生じる力により、可動部２２は、フォーカス方向Ｆ及びトラッキング方向Ｔに移動する。
【００２６】
サスペンション２５は、両端部に形成される平板部２５１と、平板部２５１に連結される軸部２５２と、軸部２５２に連結される幅広部２５３とが一体に形成されている。この時、サスペンションの両端側に形成される軸部２５２と軸部２５２に挟まれる幅広部２５３とは、それぞれサスペンション２５の長手方向の全体長さの略３分の１に渡って形成されている。ここで、サスペンション２５の長手方向の全体長さとは、一端側に形成される軸部２５２から他端側に形成される軸部２５２までの長さ寸法までのことを意味する。すなわち、一端側に形成される軸部２５２の長さ寸法Ｌ１と、他端側に形成される軸部２５２の長さ寸法Ｌ３と、これらの軸部２５２に連結される幅広部２５３の長さ寸法Ｌ２とは、略同一長さ寸法に形成される。
【００２７】
平板部２５１は、サスペンションベース２１および可動部２２の固定アーム２３に、インサート成形時に埋め込まれて固定されている。また、この平板部２５１は、先端部がサスペンションベース２１または固定アーム２３から突出した状態で固定されている。そして、サスペンションベース２１に固定された平板部２５１の先端の突出部位には、図示しない配線が電気的に接続され、図示しない電気回路を接続されている。一方、固定アーム２３に固定された平板部２５１の先端の突出部位は、可動部２２に固定されるコイル基板２６に接続され、電気回路からサスペンション２５を介してコイル基板２６に電流が流れるように構成されている。
【００２８】
軸部２５２は、略軸状に直線状に延びて形成されている。また、サスペンションベース２１側の軸部２５２とサスペンション挿通溝２１３との間には、前述したようにダンピング剤が充填され、サスペンションベース２１とサスペンション２５との固定力を強化させるともに所定周波数までの振動を緩衝している。ここで、緩衝できる周波数とは、例えば略６０Ｈｚまでの周波数であり、これは、ダンピング剤の種類などにより調整可能となっている。
【００２９】
幅広部２５３は、軸部２５２と連結され、トラッキング方向Ｔの幅寸法が大きくなるように形成されている。この時、幅広部２５３は、軸部２５２との連結位置から離れるにつれて幅寸法が大きくなるテーパ状に形成されている。このため、軸部２５２と幅広部２５３との連結部位に過度の力がかからないため、サスペンション２５の破損を防止できる。このように幅寸法が大きく形成された幅広部２５３を形成することで、ねじれに対する強度が向上し、前述したダンピング剤で緩衝できない高周波数の振動、例えばサスペンション２５のねじれ共振の周波数をディスク回転周波数領域より高くすることに貢献する。
【００３０】
なお、図３に示すように、サスペンション２５の軸部２５２には、径方向に延びる突出面２５４が形成されている構成としてもよい。このような突出面２５４を設けると、サスペンション挿通溝２１３に充填されるダンピング剤と、サスペンション２５との接触面積が増大して、ダンピング剤によるサスペンションの緩衝効果がより期待できる。
【００３１】
〔ストッパ部材の構成〕
図４ないし図６において、ストッパ部材３０は、例えば合成樹脂を素材として略コ字型に形成されている。ストッパ部材３０は、連結部としてのストッパ基部３１と、ストッパ基部３１に接続される接続部３２と、接続部３２の先端に固定されるアーム３３と、が一体に形成されている。
【００３２】
ストッパ基部３１は、ストッパ部材３０をアクチュエータベース１０に取付けた際に、ヨーク１４の方向に突出する突起片としての係止片３８と、ストッパ基部３１の４隅からヨーク１４の方向に突出する押え片３９と、を有している。係止片３８は、アクチュエータベース１０の一対のヨーク１４のうち、サスペンションベース２１から離れている方のヨーク１４に形成される凹部１４１に係止される。また、押え片３９は、係止片３８が係止されたヨーク１４およびこのヨーク１４に固定される磁石１５を、トラッキング方向から挟み込む。この係止片３８および押え片３９によってストッパ基部３１は、アクチュエータベース１０のトラッキング方向に対して位置決めされる。
【００３３】
接続部３２は、ストッパ基部３１の両側面にトラッキング方向Ｔ側に向かって形成されている。そして、接続部３２の先端に形成されるアーム３３は、ストッパ基部３１の両側面に略並行に一対設けられる。また、このアーム３３は、トラッキング方向Ｔおよびフォーカス方向Ｆに略直交する方向を長手方向として形成されている。ここで、このアーム３３のストッパ基部３１から遠ざかる位置をアーム３３の先端側とし、ストッパ基部３１に近い位置をアーム３３の基端部とし、ストッパ部材３０をアクチュエータベース１０に取付ける方向を取付け方向とすると、アーム３３は、接続部３２によって、先端側が互いに離隔する方向に常に付勢されている。
【００３４】
これらの一対のアーム３３の互いに対向する面の先端側には、可動部２２のトラッキング方向Ｔへの可動範囲を規制する壁部３４と、これらの壁部３４から突出して可動部２２のフォーカス方向Ｆの可動範囲を規制する突起部３５とが一体に形成されている。
【００３５】
壁部３４は、ストッパ部材３０をアクチュエータベース１０に取付けたとき（図１参照）、可動部２２の固定アーム２３の先端部と所定の距離を開けて配置され、一対の壁部３４間が可動部２２のトラッキング方向Ｔへの可動範囲となる。可動範囲を越える変位量が可動部２２に与えられた場合は、固定アーム２３の先端部が壁部３４に当接し、可動部２２の揺動が規制される。また、突起部３５は、フォーカス方向に離隔して設けられる一対の固定アーム２３の中間位置に配置される。そして、この突起部３５と固定アーム２３とが当接するまでの距離が可動部２２のフォーカス方向Ｆへの可動範囲となる。可動範囲を越える変位量が可動部２２に与えられた場合は、固定アームが突起部３５に当接し、可動部２２の揺動が規制される。また、可動部２２がフォーカス方向Ｆおよびトラッキング方向Ｔの双方に移動する場合があるため、壁部３４のフォーカス方向の寸法は、可動部２２のフォーカス方向への可動範囲寸法以上に形成されている。
【００３６】
一対のアーム３３の突起部３５が形成される面の反対面、すなわち、互いに離隔する方向の面には、位置決め爪としての第１の係合爪３６と位置決め爪としての第２の係合爪３７とが形成されている。第１の係合爪３６は、アーム３３の先端側に形成され、第２の係合爪３７は、アーム３３の基端側に設けられている。これらの係合爪３６，３７は、それぞれストッパ部材３０の取付け方向に向かって突出寸法が小さくなるテーパ状に形成されている。これらの係合爪３６，３７は、前述したように、アクチュエータベース１０の立上部１３に形成される位置決め溝１３１に係合されて、ストッパ部材３０をアクチュエータベース１０に固定する。
【００３７】
この時、位置決め溝１３１は、フォーカス方向Ｆおよびトラッキング方向Ｔと略直交する方向に延びて形成されているので、ストッパ部材３０を固定する時、まずストッパ部材３０の第１の係合爪３６を位置決め溝１３１に係合させ、そのままストッパ部材３０を位置決め溝１３１に沿ってスライド移動させて第２の係合爪を係合させる。この時、位置決め溝１３１の長手方向の長さ寸法と、第１の係合爪３６の先端側から第２の係合爪３７の基端側までの距離寸法が同一であれば、確実にストッパ部材３０の係合爪３６，３７をアクチュエータベース１０の位置決め溝１３１に嵌めこんで固定することができる。さらに、この時、アーム３３の先端側は接続部３２によって位置決め溝１３１側に付勢されるので、さらにストッパ部材３０の固定力が向上する。
【００３８】
〔光学ピックアップ装置の作用効果〕
このような本実施の形態の光学ピックアップ装置１では、ストッパ部材３０は、可動部２２のフォーカス方向Ｆへの移動を規制する突起部３５とトラッキング方向Ｔへの移動を規制する壁部３４とが合成樹脂で一体形成されている。これにより、１つのストッパ部材３０で可動部２２のフォーカス方向Ｆとトラッキング方向Ｔとの双方向の移動を同時に規制して可動範囲を決定することができる。従って、従来のようにフォーカス方向Ｆとトラッキング方向Ｔとのストッパを別部材として用意する必要がなく、部品点数を低減できて、コストも低減でき、設置作業も容易に実施できる。
【００３９】
また、従来の金属製のワイヤのストッパに対して、本実施の形態のストッパ部材３０は合成樹脂で形成されているため、絶縁処理を施す必要がない。従って、ストッパ部材３０の生産にかかるコストや手間を低減できる。さらに、ストッパ部材３０は、合成樹脂で形成されているので、強い衝撃が加わったとしても、金属製ワイヤのストッパのように塑性変形することがなく、ストッパ部材３０の強度を強くできる。
【００４０】
そして、ストッパ部材３０の壁部３４が固定アーム２３の先端部からトラッキング方向Ｔに所定の距離だけ離れて配置され、突起部３５がフォーカス方向Ｆに離隔して形成される固定アーム２３の中間に配置されている。これにより、可動部２２のトラッキング方向Ｔへの可動範囲は対向するストッパ部材３０のアーム３３の壁部３４の距離寸法で決定され、フォーカス方向Ｆへの可動範囲は突起部３５と固定アーム２３との距離寸法で決定される。従って、ストッパ部材３０によって容易に可動部２２の可動範囲を調整できる。従って、可動部２２の可動範囲の設定に複雑な機構を不要にできるので、光学ピックアップ装置１の生産性を向上させることができる。
【００４１】
また、突起部３５は、壁部３４からトラッキング方向Ｔに突起して形成されている。これにより、突起部３５および壁部３４は、可動部２２のフォーカス方向Ｆおよびトラッキング方向Ｔの可動範囲の規制を、突起部３５および壁部３４と固定アーム２３との位置関係のみで決定できる。従って、ストッパ部材３０の構造を簡単にできる。
【００４２】
そして、突起部３５および壁部３４は、可動部２２を両側から挟んで一対設けられている。これにより、一対の突起部３５および壁部３４で、可動部２２の可動範囲の規制を、可動部２２の両側面から実施できる。従って、可動部２２の可動範囲の規制をより確実に実施できる。
【００４３】
また、このような一対の突起部３５および壁部３４は、ストッパ基部３１を挟んで連結され、一体に形成されている。これにより、１つのストッパ部材３０で可動部２２のトラッキング方向Ｔおよびフォーカス方向Ｆの可動範囲の規制を、可動部２２の両側面から実施できる。従って、ストッパ部材３０を可動部２２の両側面にそれぞれ別途配置する必要がなく、生産性が向上し、また部品点数を低減させることができる。
【００４４】
そして、アクチュエータベース１０の立上部１３には、位置決め溝１３１が形成され、ストッパ部材３０には、この位置決め溝１３１と係合する係合爪３６，３７は形成されている。これにより、ストッパ部材３０のアクチュエータベース１０への取付け作業が容易に実施できる。従って、光学ピックアップ装置１の生産性を向上させることができる。また、ストッパ部材３０を容易に取り外しできるので、メンテナンス性も向上する。
【００４５】
また、第１の係合爪３６は、位置決め溝１３１側に付勢されている。これにより、第１の係合爪３６が位置決め溝１３１に確実に係合されて、固定される。従って、ストッパ部材３０を確実にアクチュエータベース１０に固定できる。
【００４６】
また、アクチュエータベース１０の立上部１３に形成される位置決め溝１３１がフォーカス方向Ｆおよびトラッキング方向Ｔに対して略垂直となる長手方向を有して形成されていて、ストッパ部材３０は、この位置決め溝１３１の長手方向に沿ってスライド移動させて係合爪３６，３７を嵌めこんで固定している。これにより、ストッパ部材３０をスムーズにアクチュエータベース１０に固定することができる。従って、光学ピックアップ装置１の生産性を良好にできる。
【００４７】
さらに、アーム３３には、第１の係合爪３６と第２の係合爪３７が形成されていて、これらの係合爪３６，３７が位置決め溝１３１に係合される。１つの係合爪のみを位置決め溝１３１に係合させた場合、ストッパ部材は、この係合爪を中心に回転してしまう恐れがある。これに対して、本実施の形態では、位置決め溝１３１の２ヶ所を第１の係合爪３６と第２の係合爪３７によって支持できる。このため、ストッパ部材３０が回転することなくアクチュエータベース１０に取り付けることができる。
【００４８】
また、この時、第１の係合爪３６の先端側から第２の係合爪３７の基端側までの距離が位置決め溝１３１の長手方向の長さ寸法と略同一寸法である。このため、ストッパ部材３０をアクチュエータベース１０に取付けると、これらの係合爪３６，３７は、位置決め溝１３１の両端部に配置されて、ストッパ部材３０が位置決め溝の長手方向に沿う方向にずれることがない。従って、ストッパ部材３０をアクチュエータベースに確実に固定することができる。
【００４９】
そして、ストッパ部材３０のストッパ基部３１はアクチュエータベース１０のヨーク１４に形成されている凹部１４１に向かって突出する係止片３８が形成されている。この係止片３８を凹部１４１に係合させることにより、ストッパ部材３０をアクチュエータベース１０に位置決めできる。このため、ストッパ部材３０の取付作業が容易に実施できる。
【００５０】
また、第１の係合爪３６、第２の係合爪３７は、ストッパ部材３０の取付け方向に向かって突出寸法が小さくなるようにテーパ状に形成されている。これにより、ストッパ部材３０をアクチュエータベース１０の係合溝に係合させるとき、テーパ状の斜面を滑らせて係合爪３６，３７を位置決め溝に入れることができ、係合爪３６，３７の取付け作業が容易に実施できる。
【００５１】
そして、ストッパ基部３１の４隅には、係止片３８の突出方向と同方向に押え片３９が生成されている。このため、ストッパ部材３０をアクチュエータベース１０に取付ける際に、これらの押え片３９はヨーク１４および磁石１５をトラッキング方向の両側面から挟み込んでこの位置決めすることができる。
【００５２】
〔実施の形態の変形例〕
なお、本発明は前述の実施形態に限定されるものではなく、本発明の目的を達成できる範囲での変形、改良等は本発明に含まれるものである。
【００５３】
例えば、本実施の形態では、ストッパ部材３０は、ストッパ基部３１から突出する係止片３８が形成され、さらにストッパ基部３１の４隅には押え片３９が形成されていたが、これに限らない。例えば、ストッパ基部３１にこれらの係止片３８や押え片３９が形成されない構成としてもよい。この場合、ストッパ部材３０の形状を簡単にできるため、ストッパ部材３０の製造にかかるコストを低減できる。
【００５４】
また、本実施の形態では、位置決め溝１３１は、フォーカス方向Ｆおよびトラッキング方向Ｔに略直交する方向を長手方向として形成されているが、これに限らない。例えば、アクチュエータベースの立上部で、かつストッパ部材の係合爪に対応する位置に位置決め孔が形成されていて、この位置決め孔に係合爪が係合する構成としてもよい。長手方向を有する位置決め溝では、位置決め溝の両端部に係合爪を配置しなければ、ストッパ部材がこの位置決め溝に沿う方向に移動してガタが生じてしまう。これに対して、係合爪の位置にあわせた位置決め孔では、ガタの心配がなく、確実にストッパ部材をアクチュエータベースに固定できる。
【００５５】
また、本実施の形態では、ストッパ部材３０のアーム３３を位置決め溝に向かって付勢することでストッパ部材３０とアクチュエータベース１０との固定力を強めていたが、これに限らない。例えば、図７に示すように、係合爪３６Ａの突出先端部３６１が、フォーカス方向に膨らんで形成される構成としてもよい。この時、係合爪３６Ａは、位置決め溝１３１を貫通して係合され、突出先端部３６１のフォーカス方向Ｆの寸法が位置決め溝１３１のフォーカス方向Ｆの寸法より大きく形成されている。
【００５６】
このような構成では、位置決め溝１３１に係合爪３６Ａを係合させると、突出先端部３６１が位置決め溝１３１から抜けにくく形成されているので、ストッパ部材３０をアクチュエータベース１０に確実に固定することができる。また、ここでは係合爪３６Ａの突出先端部３６１が膨らんで形成されている例を示したが、これに限らず、例えば、位置決め溝にピン部材やねじなどを、アームが配置される側とは反対側から係合爪に螺合させた構成としてもよく、また係合爪を設けないで、ねじやピン部材などでストッパ部材を固定してもよく、接着剤などにより接着固定するものであってもよい。
【００５７】
また、本実施の形態では、ストッパ部材３０は、可動部２２の両側面にそれぞれ壁部３４と突起部３５とを備えたアーム３３を設け、これらのアーム３３をストッパ基部３１および接続部３２で連結する構成を示したが、これに限らない。例えば、可動部２２の一方の両側面にそれぞれ、壁部と突起部とを備えたストッパ部材を独立させて配置してもよい。この構成では、可動部２２の両側面において、個別にストッパ部材を設けるため、それぞれのストッパ部材の位置をより精密に固定することができ、可動部２２の可動範囲をより精密に制御できる。また、突起部および壁部を備えたストッパ部材が可動部の片側にのみ形成されている構成としてもよい。ただし、この場合、ストッパ部材が設けられていない側では、可動部の可動範囲を規制できない。従って、本実施の形態のように可動部の両側面においてストッパ部材を配置することが好ましい。
【００５８】
また、本実施の形態では、突起部３５は壁部３４から突起しているとしているがこれに限らない。例えば、突起部をアームの壁部以外の箇所から突起させてもよい。また、突起部は壁部の上下端（フォーカス方向における両端部）に一対形成され、可動部はこの一対の突起部の間で可動範囲が規制される構成としてもよい。
【００５９】
また、本実施の形態では、フォーカス方向規制部として突起部を、トラッキング方向規制部として壁部を用いたが、これに限らない。例えば、フォーカス方向規制部は、ストッパ部材から伸びる紐部材であってもよい。この場合、紐部材は、可動部のフォーカス方向の可動範囲限界位置となる上下に２本平行にフォーカス方向と略直行する方向に張られ、可動部がこの紐部材に当接することで可動部の可動範囲を規制するものであってもよい。また、トラッキング方向規制部は、ストッパ部材のアームから伸びて可動部の側面に接続されるとともに、可動部の両側面に設けられる紐部材であってもよい。このような構成では、可動部が所定距離トラッキング方向に移動すると移動した方向とは反対側のアームに配置される紐部材が引き張られ、可動部の可動範囲を規制できる。
【００６０】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００６１】
〔実施の形態の作用効果〕
ストッパ部材３０は、可動部２２のフォーカス方向Ｆへの移動を規制する突起部３５とトラッキング方向Ｔへの移動を規制する壁部３４とが合成樹脂で一体形成されている。これにより、１つのストッパ部材３０で可動部２２のフォーカス方向Ｆとトラッキング方向Ｔとの双方向の移動を同時に規制ができる。
【産業上の利用可能性】
【００６２】
本発明は、光記録媒体の情報の読み取り若しくは書き込みを行うための光学ピックアップ装置として利用できる。
【図１】
0004088326.tif 000002
【図２】
0004088326.tif 000003
【図３】
0004088326.tif 000004
【図４】
0004088326.tif 000005
【図５】
0004088326.tif 000006
【図６】
0004088326.tif 000007
【図７】
0004088326.tif 000008